(57)【要約】      （修正有）【課題】所望のタイミングで時間の計測を開始させることができる電子時計及び表示方法を提供する。【解決手段】電子時計は、異なる情報を表示する複数の表示モードを切り替えて表示する表示部と、表示部の動作を制御する制御部と、時間の計測の開始を指示する第１の入力操作を受け付ける操作受付部と、を備え、制御部は、操作受付部に対して行われた第１の入力操作に応じて、その時点での表示モードから、第１の入力操作が行われた時点からの経過時間の情報を表示部へ示す経過時間表示モードに切り替える第１の表示切替制御Ｂ１を行う。【選択図】図３
2020159696.tif 000002
【特許請求の範囲】
【請求項１】
異なる情報を表示する複数の表示モードを切り替えて表示する表示部と、
前記表示部の動作を制御する制御部と、
時間の計測の開始を指示する第１の入力操作を受け付ける操作受付部と、
を備え、
前記制御部は、前記操作受付部に対して行われた前記第１の入力操作に応じて、その時点での前記表示モードから、前記第１の入力操作が行われた時点からの経過時間の情報を前記表示部へ示す経過時間表示モードに切り替える第１の表示切替制御を行うことを特徴とする電子時計。
【請求項２】
前記表示部は、回転可能に設けられた指針を有し、
前記制御部は、
前記指針の回転を制御し、
前記第１の表示切替制御では、前記第１の入力操作が行われた時点からの経過時間に応じた移動先の位置まで前記指針を早送り回転させることを特徴とする請求項１に記載の電子時計。
【請求項３】
前記第１の表示切替制御における前記指針の早送りの回転速度は、前記経過時間表示モードにおいて前記経過時間の進行を表示するときの前記指針の回転速度より速いことを特徴とする請求項２に記載の電子時計。
【請求項４】
前記制御部は、
前記表示部に時刻情報の表示を行わせる時刻表示モードへ切り替えることが可能であり、
前記時刻表示モードの実行中に行われた前記第１の入力操作に応じて、前記表示部の表示モードを前記時刻表示モードから前記経過時間表示モードに切り替える前記第１の表示切替制御を行うことを特徴とする請求項１から３のいずれか一項に記載の電子時計。
【請求項５】
前記操作受付部は、前記第１の表示切替制御の終了後に行われている、前記経過時間表示モードの終了を指示する第２の入力操作を受け付け、
前記制御部は、前記経過時間表示モードでの表示を前記表示部に行わせているときに前記操作受付部に対して行われた前記第２の入力操作に応じて、前記表示部の表示モードを前記経過時間表示モードから所定の前記表示モードに切り替える第２の表示切替制御を行うことを特徴とする請求項１から４のいずれか一項に記載の電子時計。
【請求項６】
前記操作受付部は、押下操作を受け付ける押しボタンを有し、
前記第２の入力操作は、前記押しボタンに対する所定時間以上継続する前記押下操作であることを特徴とする請求項５に記載の電子時計。
【請求項７】
異なる情報を表示する複数の表示モードを切り替えて表示する表示部と、時間の計測の開始を指示する第１の入力操作を受け付ける操作受付部と、を備えた電子時計における表示方法であって、
前記操作受付部に対して行われた前記第１の入力操作に応じて、その時点での前記表示モードから、前記第１の入力操作が行われた時点からの経過時間の情報を前記表示部へ示す経過時間表示モードに切り替えることを特徴とする表示方法。
【発明の詳細な説明】
【技術分野】
【０００１】
本発明は、電子時計及び表示方法に関する。
【背景技術】
【０００２】
従来、ストップウォッチ機能やタイマー機能といった、時間を計測する機能を備えた電子時計がある（例えば、特許文献１）。このような電子時計により時間の計測を開始させる場合には、まず所定の入力操作を行って時間の計測が可能な動作モード（例えば、ストップウォッチモードやタイマーモード）に遷移させた上で、時間の計測の開始を指示する所定の入力操作を行う。
【先行技術文献】
【特許文献】
【０００３】
【特許文献１】特開２０１５−２０６７７０号公報
【発明の概要】
【発明が解決しようとする課題】
【０００４】
しかしながら、上記従来の技術では、計測開始前に動作モードの遷移のための時間や手間が掛かることに起因して、所望のタイミングで時間の計測を開始させることができない場合があるという課題がある。
【０００５】
この発明の目的は、所望のタイミングで時間の計測を開始させることができる電子時計及び表示方法を提供することにある。
【課題を解決するための手段】
【０００６】
異なる情報を表示する複数の表示モードを切り替えて表示する表示部と、
前記表示部の動作を制御する制御部と、
時間の計測の開始を指示する第１の入力操作を受け付ける操作受付部と、
を備え、
前記制御部は、前記操作受付部に対して行われた前記第１の入力操作に応じて、その時点での前記表示モードから、前記第１の入力操作が行われた時点からの経過時間の情報を前記表示部へ示す経過時間表示モードに切り替える第１の表示切替制御を行うことを特徴とする。
【発明の効果】
【０００７】
本発明によれば、所望のタイミングで時間の計測を開始させることができる。
【図面の簡単な説明】
【０００８】
【図１】電子時計の正面図である。
【図２】電子時計の機能構成を示すブロック図である。
【図３】時刻表示モード及びストップウォッチモードにおける電子時計の動作を説明する図である。
【図４】第１の表示切替制御による各指針の回転動作を示す図である。
【図５】第１の表示切替処理の制御手順を示すフローチャートである。
【図６】指針早送り処理の制御手順を示すフローチャートである。
【図７】第２の表示切替処理の制御手順を示すフローチャートである。
【図８】変形例に係る電子時計の正面図であり、電子時計のダイレクトスタート及びダイレクトリターンの動作を説明する図である。
【発明を実施するための形態】
【０００９】
以下、本発明の電子時計及び表示方法に係る実施の形態を図面に基づいて説明する。
【００１０】
図１は、本実施形態の電子時計１の正面図である。
また、図２は、電子時計１の機能構成を示すブロック図である。
この電子時計１は、図１に示すように、腕時計のようにユーザの腕に装着されるものであり、フレーム２と、フレーム２の内部に設けられた文字盤３と、文字盤３の表示面側（上面側）に配置された秒針１１、分針１２、時針１３、２４時間針１４、副分針１５、副時針１６、副２４時間針１７及び機能針１８と、文字盤３の下方に配置された日車１９と、フレーム２の側面に設けられた押しボタンＢ１、押しボタンＢ２及びりゅうずＣ１とを備える。以降、秒針１１、分針１２、時針１３、２４時間針１４、副分針１５、副時針１６、副２４時間針１７、機能針１８及び日車１９の一部又は全部をまとめて指針１１〜１９のようにも記す。
【００１１】
文字盤３及び指針１１〜１８の上方は、図示略の透明な風防ガラスで覆われている。また、日車１９の下面（文字盤３に対向する面とは反対側）のフレーム２内には、電子時計１の駆動制御に係る各構成及び電源部が設けられ、裏蓋で覆われている。
【００１２】
文字盤３には、時刻や他の種々の機能に係る表示を行うための目盛や標識が設けられている。また、４時の方向には、開口部３ａが設けられ、日車１９上の日付標識が選択的に露出可能となっている。また、文字盤３には、小窓４、５、６、７が設けられている。
【００１３】
これらの指針１１〜１９及び文字盤３により表示部Ｄが構成される。指針１１〜１９は、それぞれ回転動作することで文字盤３（標識や目盛）との位置関係により予め定められた表示内容を示す指示動作を行う。表示部Ｄは、指針１１〜１８が指し示す方向や日車１９の回転角度（開口部３ａから露出される標識）に応じて、日時や計測時間のアナログ表示を行う。
【００１４】
秒針１１は、文字盤３の略中央を回転軸として文字盤３に平行な面内で回転可能に設けられている。秒針１１は、複数の歯車列である輪列機構６１を介して伝えられるステッピングモータ５１のステップ動作に応じて１秒に対応する角度（６度）ずつ回転動作する。
【００１５】
分針１２及び時針１３は、文字盤３の略中央を回転軸として、それぞれ文字盤３に平行な面内で回転可能に設けられている。また、２４時間針１４は、小窓４の略中央を回転軸として文字盤３に平行な面内で回転可能に設けられている。分針１２、時針１３及び２４時間針１４は、輪列機構６２を介して伝えられるステッピングモータ５２のステップ動作に応じ、それぞれ所定の角度ずつ連動して回転動作する。１ステップ当たりの時針１３の回転角度は、分針１２の回転角度の１／１２となっており、分針１２が６０分で３６０度（一周）移動するごとに、時針１３が１時間に対応する３０度移動する。また、１ステップ当たりの２４時間針１４の回転角度は、時針１３の回転角度の１／２となっている。
【００１６】
秒針１１、分針１２、時針１３及び２４時間針１４により表示される時刻は、近距離無線通信、ここではＢｌｕｅｔｏｏｔｈ（登録商標）により外部の電子機器（例えば、スマートフォン）から取得された時刻情報に基づく基本時刻である。また、Ｂｌｕｅｔｏｏｔｈによる外部の電子機器とのペアリングが行えない場合など、基本時刻が取得できない状況下では、指針１１〜１４は、予めユーザにより設定されたデュアルタイム（第２時刻）を表示する。
また、秒針１１は、時刻の表示に用いられると共に、後述するストップウォッチ機能の実行時に、計測時間を示すのにも用いられる。
【００１７】
副分針１５及び副時針１６は、小窓５の内部で回転可能に設けられている。また、副２４時間針１７は、小窓６の内部で回転可能に設けられている。これらの副分針１５、副時針１６及び副２４時間針１７により、上述の指針１１〜１４により示される時刻とは異なる時刻を表示することができる。本実施形態では、指針１５〜１７は、上述のデュアルタイムを表示する。また、指針１５〜１７は、ストップウォッチ機能の実行時に、計測時間を示すのにも用いられる。
【００１８】
副分針１５、副時針１６及び副２４時間針１７は、輪列機構６３を介して伝えられるステッピングモータ５３のステップ動作に応じてそれぞれ所定の角度ずつ連動して回転動作する。副時針１６の１ステップ当たりの回転角度は、副分針１５の回転角度の１／１２となっており、副分針１５が６０分で３６０度（一周）移動するごとに、副時針１６が１時間に対応する３０度移動する。また、１ステップ当たりの副２４時間針１７の回転角度は、副時針１６の回転角度の１／２となっている。
【００１９】
機能針１８は、小窓７の内部で所定の角度範囲内で回転（往復）可能に設けられている。機能針１８は、曜日やその他の機能に係る種々の表示を行うための指針である。また、機能針１８は、ストップウォッチ機能において２回目以降のラップタイムが取得された場合に、１つ前のラップタイムとの差分時間（秒）を表示するのに用いられる。機能針１８は、輪列機構６４を介し、ステッピングモータ５４のステップ動作に応じて所定の角度ずつ回転動作する。
【００２０】
日車１９は、文字盤３の下面側に当該文字盤３と平行に設けられた回転可能な円盤部材（中央に孔部が設けられた円環状を含む）であり、一の円周上に日付を示す「１」〜「３１」の日付標識が所定間隔で順番に設けられている。日車１９が回転動作されることにより、これらの日付標識のうちの一つが開口部３ａから選択的に露出されることで、指針１１〜１４により示される時刻と対応する日の情報が示される。日車１９は、輪列機構６５を介し、ステッピングモータ５５のステップ動作に応じて所定の角度ずつ回転動作する。
【００２１】
ステッピングモータ５１〜５５は、それぞれモータ駆動回路５０から入力される駆動パルスの電圧波形に基づいてステップ駆動されて、指針１１〜１９を上述した１ステップ当たりの回転角度ずつ、正転方向（時刻、時間が進む方向）又は逆転方向（時刻、時間が戻る方向）に回転移動させる。これらのステッピングモータ５１〜５５は、時刻又は計測時間の表示中には、１ｐｐｓ（pulse per second）の駆動パルスにより駆動動作する。また、ステッピングモータ５１〜５５は、正転方向に最速で９０ｐｐｓの駆動パルスにより駆動動作して指針１１〜１９を正転方向に早送り回転させることが可能であり、また逆転方向に最速で３０ｐｐｓの駆動パルスにより駆動動作して指針１１〜１９を逆転方向に早送り回転させることが可能である。
【００２２】
輪列機構６１〜６５には、複数の歯車間にそれぞれ遊び（バックラッシュ）があり、回転方向を反転させた場合に、当該バックラッシュに応じたステップ数空回りが生じる。この空回りステップ数（バックラッシュステップ数）は、各輪列機構について予め検査されて、ＲＯＭ４２などに記憶保持されている。
【００２３】
押しボタンＢ１、Ｂ２及びりゅうずＣ１は、操作受付部４７が備える外部からの入力操作を受け付ける構成である。押しボタンＢ１、Ｂ２は、外部からの押下操作を受け付ける。りゅうずＣ１は、初期位置から引き出された状態で、回転操作を受け付ける。りゅうずＣ１は、２段階で引き出すことが可能であり、各引き出し位置で回転操作を受け付ける。操作受付部４７は、これら押しボタンＢ１、Ｂ２の押下操作及びりゅうずＣ１の引き出し、押し戻し、回転操作を検出して、操作種別に応じた入力信号をＣＰＵ４１に出力する。
【００２４】
電子時計１は、上述の各構成に加えて駆動制御に係る構成として、図２に示すように、ＣＰＵ４１（制御部）と、ＲＯＭ４２（Read Only Memory）と、ＲＡＭ４３（Random Access Memory）と、発振回路４４と、分周回路４５と、計時回路４６と、報知動作部４８と、通信部４９と、モータ駆動回路５０などを備える。これらの構成間では、バス３０を介して互いにコマンドやデータのやり取りが行われる。
【００２５】
ＣＰＵ４１は、各種演算処理を行い、電子時計１の全体動作を統括制御するプロセッサである。ＣＰＵ４１は、指針１１〜１７により、計時回路４６が計数する日時に応じた時刻を表示させ、また、機能針１８及び日車１９により曜日と日付の表示を行わせる。また、ＣＰＵ４１は、指針１１、１５〜１７により、ストップウォッチ機能が実行されて計測された時間を表示させる。ＣＰＵ４１は、指針１１〜１７により時刻を表示させる場合には、１ステップごとに、計時回路４６が計数する日時と各指針の位置が整合しているか否かを判定し、整合している場合にモータ駆動回路５０からステッピングモータ５１〜５３に対して駆動パルスを供給させて、次のステップ動作を行わせる。同様に、ＣＰＵ４１は、指針１１、１５〜１７により計測時間を表示させる場合には、１ステップごとに、ＣＰＵ４１が計数している時間（計測時間情報４３１）と各指針の位置が整合しているか否かを判定し、整合している場合にモータ駆動回路５０からステッピングモータ５１、５３に対して駆動パルスを供給させて、次のステップ動作を行わせる。また、ＣＰＵ４１は、通信部４９を介して外部から取得された時刻情報に基づいて計時回路４６に信号を送り、計時回路４６が計数する基本時刻を修正（補正）する。また、ＣＰＵ４１は、ユーザによるデュアルタイムの設定の変更に応じて、計時回路４６が計数するデュアルタイムを修正する。また、ＣＰＵ４１は、ストップウォッチ機能、アラーム報知機能などの実行される各種機能に応じた制御を行うプログラムを呼び出して実行する。
【００２６】
ＲＯＭ４２は、電子時計１の動作制御に係るプログラム４２１や設定データを格納する。ＲＯＭ４２には、上書き更新が可能なフラッシュメモリなどの不揮発性メモリが含まれていても良い。
【００２７】
ＲＡＭ４３は、ＣＰＵ４１に作業用のメモリ空間を提供し、一時データや更新可能な設定データを記憶する揮発性メモリである。この更新可能な設定データには、アラーム報知動作の実行有無（可否）及び実行時刻に係る設定などが含まれ得る。また、読み書き更新可能なデータとして、ストップウォッチ機能においてＣＰＵ４１が計数している計測時間に係る計測時間情報４３１や、ラップタイムの計測結果に係るラップタイム情報４３２などが記憶される。ラップタイム情報４３２に記憶可能なラップタイムの数は、電子時計１の用途などに応じて定めることができる。本実施形態では、２００本のラップタイムが記憶可能となっている。
これらＣＰＵ４１、ＲＯＭ４２及びＲＡＭ４３は、単一のＩＣチップ上などに形成可能である。
【００２８】
発振回路４４は、所定の周波数信号を生成して分周回路４５に出力する。発振回路４４には、例えば、水晶発振子などが用いられる。
分周回路４５は、発振回路４４から入力された所定の周波数信号を分周してＣＰＵ４１などが動作に用いる周波数信号（クロック信号）に変換して出力する。この変換先の周波数は、ＣＰＵ４１からの制御命令などに応じて変更可能とされても良い。
【００２９】
計時回路４６は、分周回路４５から入力されたクロック信号に基づいて、基本時刻及びデュアルタイムをそれぞれ計数して保持する。この計時回路４６が保持する時刻は、電子時計１独自のフォーマットで数値を計数するものであっても良いし、年月日時分秒の形で保持しているものであっても良い。
【００３０】
操作受付部４７は、押しボタンＢ１、Ｂ２の押下状態やりゅうずＣ１の引き出し操作、回転操作及び押し戻し操作を各々検知し、電気信号に変換してＣＰＵ４１に出力する。
【００３１】
報知動作部４８は、ＣＰＵ４１からの制御信号に応じてユーザに所定の報知動作を行う。報知動作部４８は、例えば、ビープ音を発生するビープ音出力部や、振動を発生する振動発生部などを有する。ビープ音発生部や振動発生部には、それぞれ、圧電素子やおもり付きモータなど周知の構成が用いられ得る。
【００３２】
通信部４９は、外部の電子機器と通信を行う場合のデータの送受信及びその制御を行う。通信部４９は、例えば、Ｂｌｕｅｔｏｏｔｈにより外部の電子機器と無線通信が可能であり、外部から時刻情報などの設定データなどを受信取得したり、計測時間情報４３１及びラップタイム情報４３２を外部に送信出力したりすることができる。
【００３３】
モータ駆動回路５０は、ＣＰＵ４１から入力された制御信号に応じてステッピングモータ５１〜５５をそれぞれ駆動してステップ動作させるための駆動電圧パルスを適切なタイミング及びパルス幅で出力する。駆動電圧パルスの幅は、ＣＰＵ４１からの制御信号により適宜調節されることが可能となっている。また、複数のステッピングモータを同時に駆動する制御信号が入力された場合には、モータ駆動回路５０は、電子時計１の最大負荷に応じて問題が生じない範囲で適宜駆動タイミングをずらして駆動電圧パルスを出力する。
【００３４】
次に、本実施形態の電子時計１における時間計測及び表示に係る動作について説明する。
電子時計１では、現在時刻を表示する時刻表示機能、及び時間を計測して計測結果を表示するストップウォッチ機能が実行可能となっている。これらの機能がユーザ操作に基づいて起動されると、対応する制御用のプログラム４２１がＲＯＭ４２から読み出されて実行される。以下では、時刻表示機能が実行されている状態における表示部Ｄの表示モードを時刻表示モードと記し、ストップウォッチ機能が実行されている状態における表示部Ｄの表示モードをストップウォッチモード（経過時間表示モード）と記す。このように、電子時計１の表示部Ｄは、異なる情報を表示する複数の表示モードを切り替えて表示することができる。以下では、表示部Ｄの表示モードを切り替えることを「（モードの）遷移」とも記す。
【００３５】
図３は、時刻表示モード及びストップウォッチモードにおける電子時計１の動作を説明する図である。
図３に示すように、ストップウォッチモードでは、時間を計測して計測中の時間を表示する時間計測動作Ａ１、時間の計測を一時停止する一時停止動作Ａ２、ラップタイムを取得して表示するラップタイム取得表示動作Ａ３、計測時間を初期値（０秒）に戻すリセット動作Ａ４が実行可能となっている。以下ではこれらの動作をまとめて動作Ａ１〜Ａ４などとも記す。
図３では、時刻表示モード、及びストップウォッチモードの各動作Ａ１〜Ａ４の実行中に、押しボタンＢ１、Ｂ２に対する入力操作がなされた場合の動作の遷移が矢印で示されている。以下の動作の遷移の説明では、押しボタンＢ１（Ｂ２）を押下する入力操作（押下操作）を行うことを、単に「押しボタンＢ１（Ｂ２）を押す」とも記す。
【００３６】
時刻表示モードでは、ＣＰＵ４１による制御下で、表示部Ｄは、指針１１〜１９により現在時刻を表示する。
【００３７】
時刻表示モードにおいて押しボタンＢ１が押されると、ストップウォッチモードに遷移するとともに、時間計測動作Ａ１が開始される。すなわち、時刻表示モードにおいては、押しボタンＢ１に、ストップウォッチモードへのモード遷移、及び時間計測動作Ａ１の開始の２つの指示機能が割り当てられている。これにより、ユーザは、押しボタンＢ１を押す単一の入力操作により、ストップウォッチモードへの遷移と、時間計測動作Ａ１の開始とを一度に指示することができる。以下では、時刻表示モードにおいて行われた押しボタンＢ１の押下操作に応じて時間計測動作Ａ１が直接開始される動作を、「ダイレクトスタート」とも記す。また、時刻表示モードにおいて押しボタンＢ１を押す入力操作が、「時間の計測の開始を指示する第１の入力操作」に相当する。
【００３８】
詳しくは、時刻表示モードにおいて押しボタンＢ１が押されると、押しボタンＢ１が押された時点で時間の計測が開始される。すなわち、ＣＰＵ４１により、分周回路４５から入力される所定の周波数の分周信号が計数されて、計測開始タイミングからの経過時間を表す計測時間情報４３１としてＲＡＭ４３に記憶、更新される。
また、押しボタンＢ１を押下する入力操作に応じて、表示部Ｄによる表示が、時刻表示から、計測されている時間を示す表示（押しボタンＢ１が押された時点からの経過時間の情報を示す経過時間表示）に切り替わる。具体的には、押しボタンＢ１が押された時点からの経過時間に応じた移動先の位置まで、秒針１１、副分針１５、副時針１６及び副２４時間針１７が早送り回転する。また、機能針１８は、１２時方向の位置に向かって早送り回転する。そして、早送り回転が終了した指針から、計測時間に応じた通常速度の運針に移行する。このように、経過時間表示において経過時間の進行を表示するときの回転速度より速い回転速度で指針１１、１５〜１８が早送り回転することで、表示部Ｄにおける表示が短時間で経過時間表示に切り替わる。
表示部Ｄの表示を、時刻表示モードにおける時刻から、ストップウォッチモードにおける経過時間表示に切り替えるためにＣＰＵ４１が行う制御が、第１の表示切替制御に相当する。
なお、分針１２、時針１３、２４時間針１４及び日車１９は、ストップウォッチモードにおいても引き続き基本時刻を表示する。
【００３９】
図４は、第１の表示切替制御による各指針の回転動作を示す図である。
図４では、指針の早送り回転が２重線の矢印で描かれ、早送り回転の終了後、計測時間に応じた通常速度の運針が行われているときの指針の回転が単線の矢印で描かれている。
【００４０】
時刻表示モードにおいて押しボタンＢ１が押されると、図４（ａ）に示すように、秒針１１が正転方向に最高速度で（９０ｐｐｓで）早送り回転する。また、副分針１５、副時針１６、副２４時間針１７が、正転方向及び逆転方向のうち移動先の位置までの移動時間が短くなる回転方向に、最高速度で（正転方向の場合は９０ｐｐｓ、逆転方向の場合は３０ｐｐｓで）早送り回転する。また、機能針１８が、１２時方向の位置に向かって早送り回転する。そして、押しボタンＢ１が押された時点からの経過時間に応じた移動先の位置まで早送り回転された指針は（すなわち、計測中の時間に対応する位置に一致した指針は）、以降、計測時間に応じた通常速度の運針に移行する。
図４の例では、まず秒針１１が計測中の時間に対応する位置に到達して早送り回転が終了し、計測時間の秒数の表示を開始する（図４（ｂ））。また、機能針１８が１２時方向の位置に到達してその位置で停止する（図４（ｃ））。その後、副分針１５、副時針１６、副２４時間針１７の早送り回転が終了して、計測時間の時分の表示を開始する（図４（ｃ））。図４（ｃ）に示されている表示が「経過時間表示」に相当する。指針１５〜１７は連動して回転するため、通常、秒針１１及び機能針１８よりも早送り回転の終了タイミングが遅くなるが、秒針１１が計測時間の表示を開始しているため、ユーザは必要な計測時間の情報を得ることができる。
このように、指針１１、１５〜１７は、リセット（帰零）位置では停止せず、時刻表示を行っていた位置から、計測時間を表す位置まで直接早送り回転する。
【００４１】
図３に示すように、時間計測動作Ａ１の実行中に押しボタンＢ１が押されると、時間の計測が一時停止され、指針１１、１５〜１７の回転動作が停止する（一時停止動作Ａ２）。また、一時停止動作Ａ２の実行後に（すなわち一時停止中に）押しボタンＢ１が押されると、時間の計測、及び指針１１、１５〜１７の回転動作が再開される（時間計測動作Ａ１）。
【００４２】
時間計測動作Ａ１の実行中に押しボタンＢ２が押されると、ラップタイム取得表示動作Ａ３が実行される。ラップタイム取得表示動作Ａ３では、押しボタンＢ２が押された時点での計測時間がラップタイムとしてＲＡＭ４３のラップタイム情報４３２に記憶されるとともに、計測時間情報４３１における計測時間が初期値（０秒）に戻されて（リセットされて）新たに時間の計測が開始される。また、押しボタンＢ２が押された時点で指針１１、１５〜１７が一時停止することで、ラップタイムが表示される。また、取得されたラップタイムが２本目以降のラップタイムである場合には、１つ前のラップタイムとの差分時間（ラップタイム差）が機能針１８により表示される。
【００４３】
ラップタイム取得表示動作Ａ３の開始から所定時間（ここでは、１０秒）が経過すると、指針１１、１５〜１７が、新たに計測開始された時間（この時点では、１０秒）を示す位置に自動的に早送り回転する（フライバック）。また、機能針１８が、ラップタイム差０秒を示す位置に早送り回転する。なお、機能針１８は、次にラップタイム取得表示動作Ａ３が開始されるまで、直近のラップタイム差の表示を維持していても良い。
また、ラップタイム取得表示動作Ａ３の実行中に押しボタンＢ１が押されると、上述した一時停止動作Ａ２が実行される。
なお、図３では記載が省略されているが、ラップタイム取得表示動作Ａ３の実行中にさらに押しボタンＢ２が押された場合には、新たにラップタイム取得表示動作Ａ３が開始されて、ラップタイムがＲＡＭ４３に記憶され、指針１１、１５〜１８によりラップタイムが表示される。
【００４４】
一時停止動作Ａ２の実行後に（すなわち、時間計測の一時停止中に）押しボタンＢ２が押されると、リセット動作Ａ４が実行される。リセット動作では、計測時間情報４３１における計測時間が初期値（０秒）に戻されるとともに、ラップタイム情報４３２のラップタイムがクリアされ、指針１１、１５〜１８が零時の位置に早送り回転する。
リセット動作Ａ４の実行後に押しボタンＢ１が押されると、時間計測動作Ａ１が実行される。
【００４５】
ストップウォッチモードのこれら各動作における表示部Ｄによる表示には、時間計測動作Ａ１における計測中の時間の表示（時刻表示モードからのダイレクトスタート時の経過時間表示を含む）、一時停止動作Ａ２における指針１１、１５〜１７が停止した状態の表示、ラップタイム取得表示動作Ａ３におけるラップタイムの表示、及びリセット動作Ａ４におけるリセット後の表示などが含まれる。以下では、ストップウォッチモードにおけるこれらの表示を、まとめて時間計測表示とも記す。
【００４６】
リセット動作Ａ４の実行後に押しボタンＢ２が押されると、ストップウォッチモードが終了して時刻表示モードに遷移する。ここでは、計時回路４６が計数している現在時刻が取得され、指針１１、１５〜１８が現在時刻の位置（秒針１１及び機能針１８は、基本時刻に応じた位置、指針１５〜１７は、デュアルタイムに応じた位置）に早送り回転する。そして、早送り回転が終了した指針から、通常の時刻表示の運針に移行する。
【００４７】
また、ストップウォッチモードにおける任意の動作Ａ１〜Ａ４の実行中に（すなわち、表示部Ｄにより、任意の時間計測表示が行われているときに）、押しボタンＢ１に対して、所定時間以上継続する押下操作（以下では、長押し操作とも記す）が行われると、ストップウォッチモードの動作が強制的に終了して時刻表示モードに遷移する。上記の所定時間、すなわち長押し時間は、数秒程度とすることができ、本実施形態では２秒である。押しボタンＢ１の長押し操作に応じて時刻表示モードに遷移する動作を、以下では「ダイレクトリターン」とも記す。
ダイレクトリターンが開始されると、計測時間情報４３１における計測時間が初期値（０秒）に戻されるとともに、ラップタイム情報４３２のラップタイムがクリアされ、指針１１、１５〜１８が現在時刻の位置に早送り回転する。そして、早送り回転が終了した指針から、通常の時刻表示の運針に移行する。
押しボタンＢ１に対する長押し操作が、「時間の計測に係る時間計測表示の終了を指示する第２の入力操作」に相当する。また、上記長押し操作に応じて、表示部Ｄによる表示を、ストップウォッチモードにおける時間計測表示から時刻表示モードにおける時刻表示に切り替える制御が、第２の表示切替制御に相当する。
【００４８】
本実施形態の電子時計１では、分針１２及び時針１３が、時刻表示モード及びストップウォッチモードのいずれにおいても現在時刻を表示し、秒針１１の動作も、見かけ上は現在時刻を表示しているときと同様である。このため、時刻表示モード及びストップウォッチモードのいずれで動作しているかを判別しにくい場合があるが、押しボタンＢ１の長押し操作によるダイレクトリターンが可能となっていることで、簡易かつ確実に時刻表示モードに遷移させることができる。
【００４９】
図３において矢印で示されている各動作遷移では、報知動作部４８による報知動作が併せて行われても良い。報知動作としてビープ音を発生させる場合には、遷移先の動作に応じてビープ音の長さや発生回数を異ならせても良い。
【００５０】
なお、図３では省略されているが、時刻表示モードでりゅうずＣ１が１段階引き出されると、アラーム報知動作及びデュアルタイムに係る設定を行う第１設定モードに遷移する。第１設定モードでアラーム報知動作の設定（実行可否及び実行時刻等）が行われると、設定内容に応じて、設定された時刻に所定のアラーム報知動作が実行される。また、第１設定モードでデュアルタイムの設定が変更されると、当該変更に応じて、計時回路４６が計数しているデュアルタイムが修正される。
また、りゅうずＣ１が２段階引き出されると、各指針の位置の微調整や、Ｂｌｕｅｔｏｏｔｈによるペアリングに係る各種設定を行う第２設定モードに遷移する。
りゅうずＣ１が初期位置に押し戻されると、第１設定モード又は第２設定モードが終了して時刻表示モードに遷移する。
また、ストップウォッチモードでは、図３に示した各動作Ａ１〜Ａ４に加えて、スプリットタイムを取得して表示するスプリットタイム取得表示動作などがさらに実行可能とされていても良い。
【００５１】
図５は、ダイレクトスタートを行うための第１の表示切替処理の、ＣＰＵ４１による制御手順（上述した第１の表示切替制御の手順）を示すフローチャートである。この第１の表示切替処理は、時刻表示モードにおいて押しボタンＢ１が押された場合に開始される。
【００５２】
第１の表示切替処理が開始されると、ＣＰＵ４１は、時間の計測を開始する（ステップＳ１０１）。すなわち、ＣＰＵ４１は、分周回路４５から入力される所定の周波数の分周信号を計数して、押しボタンＢ１が押された時点からの経過時間を表す計測時間情報４３１としてＲＡＭ４３に記憶させる。
【００５３】
ＣＰＵ４１は、秒針１１、副分針１５、副時針１６、副２４時間針１７及び機能針１８の移動先位置を、計測時間に対応する位置に設定し（ステップＳ１０２）、後述する指針早送り処理を呼び出して実行する（ステップＳ１０３）。
【００５４】
ＣＰＵ４１は、早送り回転が完了した指針から順次、現在の計数時間に応じた１ｐｐｓの運針を開始し（ステップＳ１０４）、第１の表示切替処理を終了させる。
【００５５】
図６は、指針早送り処理のＣＰＵ４１による制御手順を示すフローチャートである。
指針早送り処理が開始されると、ＣＰＵ４１は、モータ駆動回路５０に制御信号を出力して秒針１１を移動先位置まで最高速度（９０ｐｐｓ）で正転方向に早送り回転させる（ステップＳ２０１）。ここでは、ＣＰＵ４１は、ステッピングモータ５１のステップ駆動ごとに、秒針１１の位置が現在の計数時間に対応する位置に一致したか否かを判定し、一致したと判定されるまで秒針１１を正転方向に早送り回転させる。
【００５６】
ＣＰＵ４１は、機能針１８を移動先位置（１２時方向の位置）まで最高速度で早送り回転させる（ステップＳ２０２）。機能針１８の回転方向は、ステップＳ２０２の開始時点での機能針１８の位置により定まる。
【００５７】
ＣＰＵ４１は、副分針１５、副時針１６及び副２４時間針１７の現在位置と、移動先位置とを比較して、正転方向及び逆転方向のうち移動に要する最短時間が短くなる方向を特定する（ステップＳ２０３）。ここでは、ＣＰＵ４１は、正転方向の最高速度と逆転方向の最高速度との相違を考慮した最短時間に基づいて回転方向を特定する。
【００５８】
ＣＰＵ４１は、副分針１５、副時針１６及び副２４時間針１７の回転方向が逆転方向に設定されたか否かを判定し（ステップＳ２０４）、逆転方向に設定されたと判定された場合には（ステップＳ２０４で“Ｙｅｓ”）、ＲＯＭ４２から指針１５〜１７のバックラッシュステップ数を読み出し、モータ駆動回路５０に制御信号を出力して、指針１５〜１７をバックラッシュステップ数だけ３０ｐｐｓで逆転方向に早送り回転させる（ステップＳ２０５）（空回り中には、実際には指針１５〜１７は回転しない）。
【００５９】
ステップＳ２０５の処理が終了した場合、又はステップＳ２０４の処理において指針１５〜１７の回転方向が正転方向に設定されたと判別された場合には（ステップＳ２０４で“Ｎｏ”）、ＣＰＵ４１は、モータ駆動回路５０に制御信号を出力し、これらの指針１５〜１７が移動先位置に到達するまで（すなわち、指針１５〜１７の位置が、その時点での計測時間に対応する位置に一致するまで）、設定された回転方向で早送りさせる（ステップＳ２０６）。ここでは、ＣＰＵ４１は、ステッピングモータ５３のステップ駆動ごとに、指針１５〜１７の位置がその時点での計測時間に対応する位置に一致するか否かを判定し、一致したと判定されるまで指針１５〜１７を早送り回転させる。
【００６０】
指針１５〜１７の早送り回転が終了すると、ＣＰＵ４１は、指針１５〜１７を逆転方向に早送り回転させたか否かを判定する（ステップＳ２０７）。逆転方向に早送り回転させたと判定された場合には（ステップＳ２０７で“ＹＥＳ”）、ＣＰＵ４１は、モータ駆動回路５０に制御信号を出力し、指針１５〜１７のバックラッシュステップ数だけ正転方向に９０ｐｐｓで早送り回転させる（ステップＳ２０８）。ここでも指針１５〜１７は、空回り中には実際には移動しない。
【００６１】
ステップＳ２０８の処理が終了した場合、又はステップＳ２０７の処理において指針１５〜１７を正転方向に早送り回転させたと判定された場合（ステップＳ２０７で“ＮＯ”）には、ＣＰＵ４１は、指針早送り処理を終了して処理を第１の表示切替処理に戻す。
【００６２】
図７は、ダイレクトリターンを行うための第２の表示切替処理の、ＣＰＵ４１による制御手順（上述した第２の表示切替制御の手順）を示すフローチャートである。この第２の表示切替処理は、ストップウォッチモードにおいて押しボタンＢ１に対する長押し操作が行われた場合に開始される。
【００６３】
第２の表示切替処理が開始されると、ＣＰＵ４１は、計時回路４６から現在時刻を取得する（ステップＳ３０１）。
【００６４】
ＣＰＵ４１は、秒針１１、副分針１５、副時針１６、副２４時間針１７及び機能針１８の移動先位置を、現在時刻（秒針１１及び機能針１８は基本時刻、指針１５〜１７はデュアルタイム）に対応する位置に設定し（ステップＳ３０２）、指針早送り処理を呼び出して実行する（ステップＳ３０３）。ステップＳ３０３で呼び出される指針早送り処理では、ＣＰＵ４１は、秒針１１の位置が基本時刻に対応する位置に一致するまで秒針１１を正転方向に早送り回転させ、機能針１８が基本時刻の曜日に対応する位置に一致するまで機能針１８を早送り回転させ、指針１５〜１７の位置がデュアルタイムに対応する位置に一致するまで指針１５〜１７を正転方向又は逆転方向に早送り回転させる。
【００６５】
ＣＰＵ４１は、早送り回転が完了した指針から順次、現在時刻に応じた１ｐｐｓの運針を開始し（ステップＳ３０４）、第２の表示切替処理を終了させる。
【００６６】
（変形例）
次に、上記実施形態の変形例について説明する。本変形例の電子時計１は、デジタル表示を行う表示部Ｄを備えている点で上記実施形態と異なる。
【００６７】
図８は、本変形例に係る電子時計１の正面図であり、電子時計１のダイレクトスタート及びダイレクトリターンの動作を説明する図である。
図８に示すように、電子時計１は、フレーム２と、フレーム２の正面側に設けられた表示部Ｄと、フレーム２の側面に設けられた押しボタンＢ１、Ｂ２とを備える。
【００６８】
表示部Ｄは、特には限られないが、例えば、液晶表示ディスプレイ（ＬＣＤ）である。表示部Ｄは、時刻などの数値や所定の標識を表示するためのセグメント表示部Ｄ１、及び曜日などの情報を表示するためのドットマトリクス表示部Ｄ２により構成されている。
【００６９】
図８の上側には、時刻表示モードの電子時計１が示されている。ここでは、セグメント表示部Ｄ１には、午前（ＡＭ）８時５２分４８秒であることが示され、ドットマトリクス表示部Ｄ２には、火曜日（ＴＵＥ）であることが示されている。
図８の下側には、ストップウォッチモードの電子時計１が示されている。ここでは、セグメント表示部Ｄ１において、ストップウォッチモードであることを示す「ＳＷ」の標識とともに、計測中の時間が表示されている。
【００７０】
本変形例の電子時計１も、ダイレクトスタート及びダイレクトリターンが可能となっている。すなわち、時刻表示モードにおいて押しボタンＢ１を押すことで、ストップウォッチモードに遷移するとともに、時間計測動作が直接開始される。また、ストップウォッチモードにおいて押しボタンＢ１を長押しすることで、ストップウォッチモードの任意の動作から時刻表示モードに遷移する。
本変形例の電子時計１における押しボタンＢ１、Ｂ２の機能は、上記実施形態と同一とすることができ、この場合には、ダイレクトスタート及びダイレクトリターンを除いた各動作遷移は、図３に示した内容と同一である。
【００７１】
以上のように、本実施形態に係る電子時計１は、異なる情報を表示する複数の表示モードを切り替えて表示する表示部Ｄと、表示部Ｄの動作を制御する制御部としてのＣＰＵ４１と、時間の計測の開始を指示する第１の入力操作を押しボタンＢ１により受け付ける操作受付部４７と、を備え、ＣＰＵ４１は、押しボタンＢ１に対して行われた第１の入力操作に応じて、その時点での表示モードから、第１の入力操作が行われた時点からの経過時間の情報を表示部Ｄへ示すストップウォッチモード（経過時間表示モード）に切り替える第１の表示切替制御を行う。
これによれば、ユーザは、押しボタンＢ１を押下する単一の入力操作（第１の入力操作）により、ストップウォッチモードへの遷移と、時間計測動作Ａ１の開始とを一度に指示することができる（すなわち、ダイレクトスタートを行わせることができる）。よって、時間の計測を開始させるために、ストップウォッチモードに遷移させるための入力操作と、モード遷移後に時間の計測の開始を指示する入力操作と、を必要としていた従来の技術と比較して、より簡易かつ短時間の操作で、迷うことなく時間の計測を開始させることができる。また、単一の入力操作により直接時間の計測が開始されるため、所望のタイミングで時間の計測を開始させて、計測時間を表示させることができる。
【００７２】
また、表示部Ｄは、回転可能に設けられた指針１１、１５〜１７を有し、ＣＰＵ４１は、指針１１、１５〜１７の回転を制御し、第１の表示切替制御では、第１の入力操作が行われた時点からの経過時間に応じた移動先の位置まで指針１１、１５〜１７を早送り回転させる。これによれば、指針によるアナログ表示を行う表示部Ｄを備えた電子時計１において、所望のタイミングで時間の計測を開始させて、計測時間を表示させることができる。
【００７３】
また、第１の表示切替制御における指針１１、１５〜１７の早送りの回転速度は、ストップウォッチモードにおいて経過時間の進行を表示するときの指針１１、１５〜１７の回転速度より速い。これにより、計測中の時間が表示されるまでの待ち時間を短縮することができる。
【００７４】
また、ＣＰＵ４１は、表示部Ｄに時刻情報の表示を行わせる時刻表示モードへ切り替えることが可能であり、時刻表示モードの実行中に行われた第１の入力操作に応じて、表示部Ｄの表示モードを時刻表示モードからストップウォッチモードに切り替える第１の表示切替制御を行う。これにより、時刻表示モードの実行中において、所望のタイミングで時間の計測を開始させて、計測時間を表示させることができる。
【００７５】
また、操作受付部４７は、第１の表示切替制御の終了後に行われている、ストップウォッチモードの終了を指示する第２の入力操作を押しボタンＢ１により受け付け、ＣＰＵ４１は、ストップウォッチモードでの表示を表示部Ｄに行わせているときに押しボタンＢ１に対して行われた第２の入力操作に応じて、表示部Ｄの表示モードをストップウォッチモードから所定の表示モードに切り替える第２の表示切替制御を行う。これによれば、ユーザは、押しボタンＢ１に対する単一の入力操作（第２の入力操作）により、ストップウォッチモードの任意の動作を終了させて、時刻表示モード等の所定の表示モードに遷移させることができる（すなわち、ダイレクトリターンを行わせることができる）。特に、アナログ表示を行う表示部Ｄを備えた電子時計１では、指針の動作が見かけ上は現在時刻を表示しているときと同様であるため、時刻表示モード及びストップウォッチモードのいずれで動作しているかを判別しにくい場合があるが、第２の入力操作によるダイレクトリターンが可能となっていることで、簡易かつ確実にストップウォッチモードの動作を終了させて時刻表示モード等の所定の表示モードに切り替えることができる。
【００７６】
また、操作受付部４７は、押下操作を受け付ける押しボタンＢ１を有し、第２の入力操作は、押しボタンＢ１に対する所定時間以上継続する押下操作である。このように、通常の短時間の押下操作とは異なる長押し操作が第２の入力操作として定められていることで、第２の入力操作を他の入力操作と区別して受け付けることができる。よって、ユーザは、長押し操作により、意図どおりに確実にダイレクトリターンを行わせることができる。
【００７７】
また、本実施形態に係る表示方法は、異なる情報を表示する複数の表示モードを切り替えて表示する表示部Ｄと、時間の計測の開始を指示する第１の入力操作を受け付ける操作受付部４７と、を備えた電子時計１における表示方法であって、操作受付部４７に対して行われた第１の入力操作に応じて、その時点での表示モードから、第１の入力操作が行われた時点からの経過時間の情報を表示部Ｄへ示すストップウォッチモード（経過時間表示モード）に切り替える。
このような方法によれば、ユーザは、押しボタンＢ１を押下する単一の入力操作（第１の入力操作）により、ストップウォッチモードへの遷移と、時間計測動作Ａ１の開始とを一度に指示することができる（すなわち、ダイレクトスタートを行わせることができる）。よって、より簡易かつ短時間の操作で、迷うことなく時間の計測を開始させることができる。また、単一の入力操作により直接時間の計測が開始されるため、所望のタイミングで時間の計測を開始させて、計測時間を表示させることができる。
【００７８】
なお、上記実施形態における記述は、本発明に係る電子時計及び表示方法の一例であり、これに限定されるものではない。
例えば、上記実施形態では、経過時間表示モードとしてストップウォッチモードを例に挙げて説明したが、これに限定する趣旨ではなく、経過時間表示モードは、タイマーモードなどの、時間の計測結果を表示する任意の表示モードとすることができる。すなわち、第１の入力操作に応じて、時間の計測が直接開始されて経過時間表示モードに遷移する態様であれば、計測する時間の種別は特に限定されない。
【００７９】
また、上記実施形態では、第１の入力操作及び第２の入力操作がいずれも押しボタンＢ１に対する押下操作である例を用いて説明したが、これに限られず、別個の押しボタンに対する押下操作がそれぞれ第１の入力操作及び第２の入力操作とされていても良い。この場合の第２の入力操作は、長押し操作に代えて、通常の短時間の押下操作であっても良い。
【００８０】
また、第１の入力操作及び第２の入力操作は、押しボタンに対する押下操作に限られない。例えば、第１の入力操作及び第２の入力操作は、りゅうずの引き出し又は押し込み操作などであっても良いし、操作受付部４７が、表示部Ｄに設けられたタッチパネルを含む構成において、当該タッチパネルに対してなされる接触操作であっても良い。
【００８１】
また、ダイレクトスタートが行われるときの表示部Ｄの表示モードは、時刻表示モードに限られない。すなわち、時刻表示モードを除く任意の表示モードとなっているときに第１の入力操作が受け付けられて、ダイレクトスタートが行われても良い。
【００８２】
また、ダイレクトリターンによる遷移先の表示モードは、時刻表示モードに限られない。例えば、ストップウォッチモードの開始前の表示モードが時刻表示モード以外の表示モードである場合に、ダイレクトリターンにより、当該時刻表示モード以外の表示モードに遷移するようになっていても良い。特に、デジタル表示の表示部Ｄを備えた変形例の電子時計１では、標識などにより現在の表示モードを明確に表示することができるため、ダイレクトリターンによって時刻表示モード以外の表示モードに違和感なく遷移させることができる。
また、押しボタンの長押し時間に応じてダイレクトリターンによる遷移先の表示モードを選択できるようにしても良い。例えば、押しボタンを２秒以上長押しすることで、ストップウォッチモードの開始前に行われていた表示モードに遷移し、４秒以上長押しすることで時刻表示モードに遷移するようにしても良い。
【００８３】
また、電子時計１は、３つ以上の押しボタンを備えていても良い。このうちいずれかの押しボタンには、表示モードを遷移させる機能が割り当てられていても良い。この場合における表示モードには、時刻表示モードの他に、タイマーモード、世界の各地の時刻を表示する世界時計モード、アラーム報知時刻を設定するアラーム設定モードなどを含めることができる。また、ストップウォッチモードが、押しボタンにより遷移可能な表示モードに含められても良い。すなわち、ダイレクトスタートの他に、押しボタンに対する入力操作に応じたモード遷移によってもストップウォッチモードへの遷移が可能とされていても良い。
【００８４】
また、上記実施形態では、指針早送り処理において、秒針１１は正転方向に早送り回転させ、副分針１５、副時針１６及び副２４時間針１７は正転方向及び逆転方向のうち早送り時間が短くなる方向に早送り回転させることとしたが、これに限られない。すなわち、秒針１１を、正転方向及び逆転方向のうち早送り時間が短くなる方向に早送り回転させることとしても良い。また、副分針１５、副時針１６及び副２４時間針１７を、常に正転方向に早送り回転させることとしても良い。
【００８５】
また、上記実施形態では、分針１２、時針１３及び２４時間針１４が連動して回転し、副分針１５、副時針１６及び副２４時間針１７が連動して回転する例を用いて説明したが、これに限定する趣旨ではない。すなわち、分針１２、時針１３及び２４時間針１４の一部又は全部が独立して回転する構成としても良く、また副分針１５、副時針１６及び副２４時間針１７の一部又は全部が独立して回転する構成としても良い。特に、副時針１６及び副２４時間針１７を副分針１５と独立して回転可能な構成とすることで、ダイレクトスタート及びダイレクトリターンにおける早送り時間を短縮させることができる。
【００８６】
また、上記実施形態では、ストップウォッチモードにおける計測時間の時分を副分針１５、副時針１６及び副２４時間針１７により表示させる例を用いて説明したが、これに限られず、分針１２、時針１３及び２４時間針１４により計測時間の時分を表示させても良い。
【００８７】
また、上記実施形態では、腕時計型の電子時計１を例に挙げて説明したが、これに限られない。その他各種携帯型のものであっても良く、床や机上などに載置された場合に好適に表示を視認可能な形状を有するものであっても良い。
【００８８】
また、以上の説明では、本発明に係るＣＰＵ４１による表示切替制御に係る処理動作のプログラム４２１のコンピュータ読み取り可能な媒体としてフラッシュメモリなどの各種不揮発性メモリを含み得るＲＯＭ４２を例に挙げて説明したが、これに限定されない。その他のコンピュータ読み取り可能な媒体として、ＨＤＤ（Hard Disk Drive）や、ＣＤ−ＲＯＭやＤＶＤディスクなどの可搬型記録媒体を適用することが可能である。また、本発明に係るプログラムのデータを通信回線を介して提供する媒体として、キャリアウェーブ（搬送波）も本発明に適用される。
【００８９】
また、上記実施形態における電子時計１の各構成要素の細部構成及び細部動作に関しては、本発明の趣旨を逸脱することのない範囲で適宜変更可能であることは勿論である。
【００９０】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
異なる情報を表示する複数の表示モードを切り替えて表示する表示部と、
前記表示部の動作を制御する制御部と、
時間の計測の開始を指示する第１の入力操作を受け付ける操作受付部と、
を備え、
前記制御部は、前記操作受付部に対して行われた前記第１の入力操作に応じて、その時点での前記表示モードから、前記第１の入力操作が行われた時点からの経過時間の情報を前記表示部へ示す経過時間表示モードに切り替える第１の表示切替制御を行うことを特徴とする電子時計。
＜請求項２＞
前記表示部は、回転可能に設けられた指針を有し、
前記制御部は、
前記指針の回転を制御し、
前記第１の表示切替制御では、前記第１の入力操作が行われた時点からの経過時間に応じた移動先の位置まで前記指針を早送り回転させることを特徴とする請求項１に記載の電子時計。
＜請求項３＞
前記第１の表示切替制御における前記指針の早送りの回転速度は、前記経過時間表示モードにおいて前記経過時間の進行を表示するときの前記指針の回転速度より速いことを特徴とする請求項２に記載の電子時計。
＜請求項４＞
前記制御部は、
前記表示部に時刻情報の表示を行わせる時刻表示モードへ切り替えることが可能であり、
前記時刻表示モードの実行中に行われた前記第１の入力操作に応じて、前記表示部の表示モードを前記時刻表示モードから前記経過時間表示モードに切り替える前記第１の表示切替制御を行うことを特徴とする請求項１から３のいずれか一項に記載の電子時計。
＜請求項５＞
前記操作受付部は、前記第１の表示切替制御の終了後に行われている、前記経過時間表示モードの終了を指示する第２の入力操作を受け付け、
前記制御部は、前記経過時間表示モードでの表示を前記表示部に行わせているときに前記操作受付部に対して行われた前記第２の入力操作に応じて、前記表示部の表示モードを前記経過時間表示モードから所定の前記表示モードに切り替える第２の表示切替制御を行うことを特徴とする請求項１から４のいずれか一項に記載の電子時計。
＜請求項６＞
前記操作受付部は、押下操作を受け付ける押しボタンを有し、
前記第２の入力操作は、前記押しボタンに対する所定時間以上継続する前記押下操作であることを特徴とする請求項５に記載の電子時計。
＜請求項７＞
異なる情報を表示する複数の表示モードを切り替えて表示する表示部と、時間の計測の開始を指示する第１の入力操作を受け付ける操作受付部と、を備えた電子時計における表示方法であって、
前記操作受付部に対して行われた前記第１の入力操作に応じて、その時点での前記表示モードから、前記第１の入力操作が行われた時点からの経過時間の情報を前記表示部へ示す経過時間表示モードに切り替えることを特徴とする表示方法。
【符号の説明】
【００９１】
１  電子時計
２  フレーム
３  文字盤
３ａ  開口部
４〜７  小窓
１１  秒針
１２  分針
１３  時針
１４  ２４時間針
１５  副分針
１６  副時針
１７  副２４時間針
１８  機能針
１９  日車
３０  バス
４１  ＣＰＵ（制御部）
４２  ＲＯＭ
４２１  プログラム
４３  ＲＡＭ
４３１  計測時間情報
４３２  ラップタイム情報
４４  発振回路
４５  分周回路
４６  計時回路
４７  操作受付部
４８  報知動作部
４９  通信部
５０  モータ駆動回路
５１〜５５  ステッピングモータ
６１〜６５  輪列機構
Ｂ１、Ｂ２  押しボタン
Ｃ１  りゅうず
Ｄ  表示部
【図１】
2020159696.tif 000003
【図２】
2020159696.tif 000004
【図３】
2020159696.tif 000005
【図４】
2020159696.tif 000006
【図５】
2020159696.tif 000007
【図６】
2020159696.tif 000008
【図７】
2020159696.tif 000009
【図８】
2020159696.tif 000010